(57)【特許請求の範囲】
【請求項１】
略半球面形状を有し太陽光の追尾システムを備えた樹脂製ドームと、
該樹脂製ドームの下部縁部に設けられたアール形状の下部縁部枠、並びに前記アール形状の下部縁部枠に連繋されたアール形状のハカマ枠を介して円筒形状又は角筒形状の反射板ダクトを懸架して太陽光の採光装置本体ユニットが形成され、
該採光装置本体ユニットの前記反射ダクトは屋根部に設けた採光用の開口部に反射ダクト下端を挿入し室内の天井方向に懸架され、
該採光装置本体ユニットは前記ハカマ枠の下方に設けたブラケットと屋根部に設けた立上り基台上に設けたブラケット間にて固着した後、
該立上り基台の天端とハカマ枠間の周部に水切り部材を挿着して前記立上り基台の天端と前記ハカマ枠間の雨仕舞い処理を行うことを特徴とする太陽光の採光システムを備えたトップライト。
【請求項２】
前記立上り基台の天端とハカマ枠間の周部に挿着される水切り部材の形状はハカマ枠を介して懸架される反射板ダクトが円筒形状である場合にはアール形状の水切り部材となし、
またハカマ枠を介して懸架される反射板ダクトが角筒形状の場合には平面形状で四角形の水切り部材を挿着することを特徴とする請求項１に記載された太陽光の採光システムを備えたトップライト。
【請求項３】
前記ハカマ枠に内蔵されるガラスの保持枠は耐火材となるスチール製の下地骨材を嵌合したアール形状保持枠と成し、
該アール形状保持枠上に網入りガラスを装着して懸架される反射板ダクト内に防火区画を形成することを特徴とする請求項１乃至請求項２のいずれかに記載された太陽光の採光システムを備えたトップライト。
【発明の詳細な説明】
【技術分野】
【０００１】
本発明は、太陽光の採光システムを備えたトップライトに関するものであり、特に本発明は、下部縁部がアール形状の樹脂製ドームからなる太陽光の採光部と該下部縁部のハカマ部と水切り部、並びに前記水切り部に内蔵され室内に懸架される光ダクト部（反射板ダクト）からなるトップライトを提供するものである。
【背景技術】
【０００２】
従来、太陽光の採光システムとして採光プリズムや反射板、或いは回転する受光ガラス開口面を有する天窓、または、トップライトと呼ばれる太陽光の採光装置は、種々のものが発明され、実用化されてきている。
【０００３】
然しながら、太陽光の採光プリズムや反射板、或いは受光ガラス面を建物の屋根に設置するタイプの採光システムでは、屋根との取り合い部や、太陽光の採光用開口部分での雨仕舞い防水を屋根と同様に数十年単位で維持できる構成であること、また、施工にあたっては、屋根上に太陽光の採光用の開口部を設けていることから、該開口部を樹脂製ドームで覆う工事並びにアルミ製枠やガラス等にて覆うための工事は、迅速、且つ正確に施工できることが要求されるものである。
【０００４】
斯くして、従来の太陽光採光装置として、太陽光の採光部にプリズムを用いた装置が、特開平０９−３０４７２２号公報（以下、特許文献１と称する）に開示されている。
【０００５】
特許文献１の発明は、太陽光を室内に採光する太陽光採光装置において、太陽光の照度変化及び照度低下の補償、並びに照度表現を変えられるようにしたもので、天窓から室内に亙って設けた導光ダクトに対して畜光材料を用いるように構成したものである。
【０００６】
また、特許文献１の発明において、採光部に配置される１枚又は複数枚の採光プリズム、採光プリズムの駆動装置、制御装置、及びカバー（透明ドーム、乳白ドーム）を備えた太陽光採光装置は、採光プリズムの下方に設けられた導光ダクトにより採光プリズムからの出射光を室内に導く構成を有しており、また、採光プリズムからの出射光を照度変化及び照度低下させることなく室内へ導くために導光ダクトに畜光材料を用いること等の工夫がなされている。
【０００７】
特許文献１の発明は、採光部に１枚又は複数枚の採光プリズム用い、該採光プリズムを駆動装置で制御することにより採光プリズムで得た出射光を室内に取入れたり、畜光材に畜光して室内に採光する装置を提供するものであるが、この装置を実際に建物の屋根に設置しようとすると、当然のことながら屋根部に採光用の開口部を設けた後、該開口部周りに立ち上がり基台を設置して透明ドームや乳白ドームで採光プリズムや採光プリズムの駆動装置を覆い、採光装置や室内に雨水が入り込まないようにする雨仕舞いの構成が当然の如く必要となる。
【０００８】
然しながら、特許文献１の発明には、前記雨仕舞の構成が具体的に明記されておらず、当該発明は、単なる採光システムの発明を開示したものにとどまり実際に屋根に設置できるか否かの現実的な発明とは成りえないものであった。
【０００９】
而して、天窓に雨水の侵入を防止する等気圧止水機能を備えた太陽自動追尾型回転天窓装置が、特開２００４−１９７５４３号公報（以下、特許文献２と称する）に開示されている。
【００１０】
特許文献２発明は、建物屋根部構造体の上に円周形状した鋼材を固定し、その円周形状鋼材の上に円周形状の中心に沿って、太陽の移動に伴い滑らかに回転するレール形状機能と、その回転レール外部に上下部材を組み合わせ、雨水の侵入を防止する等気圧止水機能を備えたものであり、本装置上部体は、骨組み一体型アルミ押し出し部材を用いて円形状に組立て、上材と下材は回転機能を妨げないように分離し、各々取り付け後、等気圧止水機能になるような断面部材とする等、雨仕舞を最優先した機能を保有する天窓装置が開示されている。
【００１１】
従って引用文献２の発明においては、屋根との取り合い部や太陽の採光部分での雨仕舞は完璧であると思われるが、回動可能な太陽光受光ガラス開口面や円形状にアルミ押し出し形材で組み立てられる装置本体の組立てには、工数や時間が掛るばかりでなく、当然のことながら製品代も高価なものになる欠点を有している。
【００１２】
また、ドーム部材内に集光反射板を設置して、該集光反射板からの光を屋内に照射するタイプの採光装置が、特開２００７−３０５５０４号公報（以下、特許文献３と称する）に開示されている。
【００１３】
特許文献３の発明は、主に工場や倉庫等に用いられる採光装置に関するもので、太陽光を導入する採光手段のドーム部材と該ドーム部材内に設けられた集光反射板からの光をその内面で反射させながら屋内に導く筒状の導光部材からなるもので、導光部材の外径が５００〜６００ｍｍ程度と大きい場合に外部からの侵入を防止するために前記導光部材に格子部材が設けられていたり、前記筒状の導光部材が０度〜３０度の角度範囲で屈曲自在であったり、筒状の導光部材がその他の筒状部材の内部に収納自在に構成され、前記導光手段の長さが調整できるといった筒状の導光部材形状に関する工夫が数多く開示されている。
【００１４】
斯くして、特許文献３の発明において、採光装置を屋根に取付ける手段は、屋根の野地板に取付けられている基台部と、基台部から上方に延びる円筒状の支持部から構成されており、該支持部の開口部には径方向内方に延びるリング状の係止部が設けられ、また支持部の開口部の外周面には、その全周に渡って長尺状の結露防止用テープ部材が取付られており、この結露防止用テープ部材の片面には複数の毛状体が密に植設されている。
【００１５】
そして、ドーム部材は、例えば透明なアクリルやポリカーボネートなどの合成樹脂により形成され、略半球面状に構成されており、ドーム部材の開口部の外径は前記支持部材の開口部の外径よりも幾分大きく構成されていて、開口部を覆う形状となっている。
【００１６】
従って、特許文献３の発明においては、主に工場や倉庫等に用いられる比較的安価な建物に用いられる太陽光の採光装置と言わざるを得ないが、屋根部と基台部間の雨仕舞方法に関しては、屋根上における板金的手法や現場合わせ作業による工法になりがちで、もう少し合理的で迅速、且つ、確実な雨仕舞いの工法が求められていると同時にオフィスビルや一般住宅に採用できる安価で構造的にもシンプルな太陽光の採光システムを備えたトップライトの具現化が求められてきている。
【先行技術文献】
【特許文献】
【００１７】
【特許文献１】特開平０９−３０４７２２号公報
【特許文献２】特開２００４−１９７５４２号公報
【特許文献３】特開２００７−３０５５０４号公報
【発明の概要】
【発明が解決しようとする課題】
【００１８】
斯くして、本発明は、太陽光の採光システムとして採光プリズムや反射板、或いは回転する受光ガラス開口面を有する天窓、または、トップライトと呼ばれる太陽光の採光装置において、屋根との取り合い部や太陽光の採光用開口部分での雨仕舞い処理を簡単、且つ確実に行える太陽光の採光システムを備えたトップライトを提供するものである。
【００１９】
また、本発明は、略半球面形状を有し太陽光の追尾システムを備えた樹脂製ドームと、該樹脂製ドームの下部縁部に設けられたアール形状の下部縁部枠、並びに前記アール形状の下部縁部枠に連繋されたハカマ枠を介して反射板ダクトを懸架してユニット化した太陽光の採光装置本体ユニットを構成し、該太陽光の採光装置本体ユニットを屋根部に設けた採光用の開口部縁部に設けた立上り基台上に載置して固定した後、該立上り基台の天端と前記ハカマ枠間の周部に水切り部材を挿着して、前記立上り基台の天端と前記ハカマ枠間の雨仕舞い処理を行う構成としたもので、屋根部に採光用の開口部ができた時点で、すぐさま太陽光の採光システムを備えたトップライトを前記開口部に取付することができるものであり、施工時間の短縮はもとより、屋内や反射板ダクトの、所謂、化粧部分を風雨に曝されることなく全体として美しい施工が可能な太陽光の採光システムを備えたトップライトを提供する。
【課題を解決するための手段】
【００２０】
本発明は、略半球面形状を有し太陽光の追尾システムを備えた樹脂製ドームと、該樹脂製ドームの下部縁部に設けられたアール形状の下部縁部枠、並びに前記アール形状の下部縁部枠に連繋されたアール形状のハカマ枠を介して反射板ダクトを懸架して太陽光の採光装置本体を構成し、該太陽光の採光装置本体を屋根部に設けた採光用の開口部縁部立上り基台上に載置して固定した後、該立上り基台の天端と前記ハカマ枠間の周部に水切り部材を挿着して、前記立上り基台の天端と前記ハカマ枠間の雨仕舞い処理を行うことにより、太陽光の採光システムを備えたトップライトにおける水密性能を向上させるものである。
【００２１】
また、本発明は、略半球面形状を有し太陽光の追尾システムを備えた樹脂製ドームと、該樹脂製ドームの下部縁部に設けられたアール形状の下部縁部枠、並びに前記アール形状の下部縁部枠に連繋されたアール形状のハカマ枠を介して反射板ダクトを懸架した太陽光の採光装置本体ユニットを構成し、該太陽光の採光装置本体ユニットを屋根部に設けた採光用の開口部縁部立上り基台上に載置して固定した後、該立上り基台の天端と前記ハカマ枠間の周部に水切り部材を挿着して、前記立上り基台の天端と前記ハカマ枠間の雨仕舞い処理を行うことにより太陽光の採光システムを備えたトップライトの施工取付時間の短縮を行うものである。
【００２２】
更に、本発明において、前記立上り基台の天端とハカマ枠間の周部に挿着される水切り部材の形状はハカマ枠を介して懸架される反射板ダクトが円筒形状である場合にはアール形状の水切り部材となし、またハカマ枠を介して懸架される反射板ダクトが角筒形状の場合には平面形状で四角形の水切り部材を挿着することで、当該部分の雨仕舞い処理構造の汎用性を高めている。
【００２３】
そして、本発明において、前記ハカマ枠に内蔵されるガラスの保持枠は、耐火材となるスチール製の下地骨材を嵌合したアール形状保持枠と成し、該アール形状保持枠上に網入りガラスを装着することにより、懸架される反射板ダクト内に防火区画を形成することができるという効果を発揮する。
【発明の効果】
【００２４】
斯くして、本発明は、略半球面形状を有し太陽光の追尾システムを備えた樹脂製ドームと、該樹脂製ドームの下部縁部に設けられたアール形状の下部縁部枠、並びに前記アール形状の下部縁部枠に連繋されたアール形状のハカマ枠を介して反射板ダクトを懸架して太陽光の採光装置本体を構成し、該太陽光の採光装置本体を屋根部に設けた採光用の開口部縁部立上り基台上に載置して固定した後、該立上り基台の天端と前記ハカマ枠間の周部に水切り部材を挿着して、前記立上り基台の天端と前記ハカマ枠間の雨仕舞い処理を確実に行うことが可能となり、太陽光の採光システムを備えたトップライトにおける水密性能を向上させることができた。
【００２５】
また、本発明は、略半球面形状を有し太陽光の追尾システムを備えた樹脂製ドームと、該樹脂製ドームの下部縁部に設けられたアール形状の下部縁部枠、並びに前記アール形状の下部縁部枠に連繋されたアール形状のハカマ枠を介して反射板ダクトを懸架した太陽光の採光装置本体ユニットを構成し、該太陽光の採光装置本体ユニットを屋根部に設けた採光用の開口部縁部立上り基台上に載置して固定した後、該立上り基台の天端と前記ハカマ枠間の周部に水切り部材を挿着して、前記立上り基台の天端と前記ハカマ枠間の雨仕舞い処理を行うことにより太陽光の採光システムを備えたトップライトの施工取付時間の短縮を可能となり、屋内や反射板ダクトの、所謂、化粧部分を風雨に曝されることなく全体として美しい施工がおこなえる。
【００２６】
更に、本発明において、前記立上り基台の天端とハカマ枠間の周部に挿着される水切り部材の形状は、ハカマ枠を介して懸架される反射板ダクトが円筒形状である場合にはアール形状の水切り部材となし、またハカマ枠を介して懸架される反射板ダクトが角筒形状の場合には平面形状で四角形の水切り部材を挿着することなし、反射板ダクトの形状が円筒形状や角筒形状であっても前記水切り部材の形状のみを変えることで対応でき、当該部分の雨仕舞い処理構造の汎用性を高めている。
【００２７】
そして、本発明において、前記ハカマ枠に内蔵されるガラスの保持枠は、耐火材となるスチール製の下地骨材を嵌合したアール形状保持枠と成し、該アール形状保持枠上に網入りガラスを装着することにより、懸架される反射板ダクト内に防火区画を形成することができるという効果を発揮する。
【図面の簡単な説明】
【００２８】
【図１】本発明の実施形態を説明する断面図である。
【図２】図１の要部断面を説明する要部断面拡大図である。
【図３】本発明の取付手順を説明する現場説明図である。
【発明を実施するための形態】
【００２９】
従来、太陽光の採光システムとして採光プリズムや反射板、或いは回転する受光ガラス開口面を有する天窓、または、トップライトと呼ばれる太陽光の採光装置は、種々のものが発明され、実用化されてきている。
【００３０】
本発明においては、太陽光の採光システムとして採光システムや反射板等を覆い風雨から守る役割のカバーをトップライトと称し、該トップライトはアクリル系樹脂やポリカーボネート樹脂、またはガラスなどで製作される略半球面形状のドームを称している。
【００３１】
そして、本発明は、太陽光の採光システムを備えたトップライトに関するものであり、特に本発明は、下部縁部がアール形状の樹脂製ドームからなる太陽光の採光部と該下部縁部のハカマ部と水切り部、並びに前記水切り部に内蔵され室内に懸架される反射板ダクト部からなるトップライトを提供するものである。
【００３２】
また、本発明の目的は、太陽光の採光プリズムや反射板、或いは受光ガラス面を建物の屋根に設置するタイプの採光システムでは、屋根との取り合い部や、太陽光の採光用開口部分での雨仕舞い防水を屋根と同様に数十年単位で維持できる構成であること、また、施工にあたっては、屋根上に太陽光の採光用の開口部を設けていることから、該開口部を樹脂製ドームで覆う工事並びにアルミ製枠やガラス等にて覆うための工事は、迅速、且つ正確に施工できることが要求されてきている点を解消するものである。
【００３３】
斯くして、本発明は、略半球面形状を有し太陽光の追尾システムを備えた樹脂製ドームと、該樹脂製ドームの下部縁部に設けられたアール形状の下部縁部枠、並びに前記アール形状の下部縁部枠に連繋されたアール形状のハカマ枠を介して反射板ダクトを懸架して太陽光の採光装置本体を構成し、該太陽光の採光装置本体を屋根部に設けた採光用の開口部縁部立上り基台上に載置して固定した後、該立上り基台の天端と前記ハカマ枠間の周部に水切り部材を挿着して、前記立上り基台の天端と前記ハカマ枠間の雨仕舞い処理を行う太陽光の採光システムを備えたトップライトであることが好ましい。
【００３４】
また、本発明の構成をより具体的に説明すると、略半球面形状を有し太陽光の追尾システムを備えた樹脂製ドームと、該樹脂製ドームの下部縁部に設けられたアール形状の下部縁部枠、並びに前記アール形状の下部縁部枠に連繋されたアール形状のハカマ枠を介して円筒形状又は角筒形状の反射板ダクトを懸架した太陽光の採光装置本体ユニットを構成し、該太陽光の採光装置本体ユニットの前記反射ダクトは屋根部に設けた採光用の開口部にその反射ダクト下端を挿入して室内の天井方向に懸架され、該採光装置本体ユニットは前記ハカマ枠の下方に設けたブラケットと屋根部に設けた立上り基台上に設けたブラケット間にて固着した後、該立上り基台の天端とハカマ枠間の周部に水切り部材を挿着して、前記立上り基台の天端と前記ハカマ枠間の雨仕舞い処理を行う太陽光の採光システムを備えたトップライトであることが好ましい。
【００３５】
更に、本発明は、前記立上り基台の天端とハカマ枠間の周部に挿着される水切り部材の形状はハカマ枠を介して懸架される反射板ダクトが円筒形状である場合にはアール形状の水切り部材となし、またハカマ枠を介して懸架される反射板ダクトが角筒形状の場合には平面形状で四角形の水切り部材を挿着する太陽光の採光システムを備えたトップライトであることが好ましい。
【００３６】
そして、本発明は、前記ハカマ枠に内蔵されるガラスの保持枠は耐火材となるスチール製の下地骨材を嵌合したアール形状保持枠と成し、該アール形状保持枠上に網入りガラスを装着して懸架される反射板ダクト内に防火区画を形成する太陽光の採光システムを備えたトップライトであることが好ましい。
【実施例１】
【００３７】
図１及び図２は本発明の実施例１を説明するものであり、図１は本発明の実施形態を説明する断面図であり、図２は図１のＡ−Ａ部分拡大断面図である。
【００３８】
図１及び図２において、１は採光装置本体、２は樹脂製ドーム、３は太陽光追尾システムであり、該太陽光追尾システム３は、太陽光を追尾して受光するための反射ミラー４、反射ミラー支持アーム５、反射ミラー竪軸回転駆動モーター６、反射ミラー横軸回転モーター７、並びに前記太陽光追尾システム３、樹脂製ドーム２内に保持する保持枠８により構成されている。
【００３９】
そして、太陽光９は樹脂製ドーム２を介して反射ミラー４に入射され、反射光ミラー４にて採光された光は反射板ダクト１０にて室内に取り入れられるものであるが、反射ミラー４は前記反射ミラー竪軸回転駆動モーター６と反射ミラー横軸回転駆動モーター７の回転を制御することにより太陽光９の入射角を追尾して効率良く太陽光９を採光する。
【００４０】
斯くして、太陽光追尾システム３を内蔵した樹脂製ドーム２は図１に示す如く略半球面形状を有し、該樹脂製ドーム２の下部縁部には、樹脂製ドーム２の端部に沿って設けられたアルミ押出し形材製のアール形状縁部枠１１が設けられている。
【００４１】
また、前記アール形状縁部枠１１の下部にはアール形状のハカマ枠１２が連繋されており、該アール形状のハカマ枠１２には網入りガラス１３のアール形状ガラス保持枠１４と下部に反射板ダクト１０を懸架するための反射ダクト枠１５ａ、１５ｂ、１５ｃ、１５ｄが少なくとも４本の下地装着金物１６ａ、１６ｂ、１６ｃ、１６ｄを介して装架されており、その下端には平面正方形の光拡散板１７を保持するための拡散板保持枠１８ａ、１８ｂ、１８ｃ、１８ｄが装着されていて、前記反射板ダクト１０はハカマ枠１２により下部方向に懸架された反射ダクト枠１５ａ、１５ｂ、１５ｃ、１５ｄと拡散板保持枠１８ａ、１８ｂ、１８ｃ、１８ｄにより構成される枠組み内に夫々反射板１９を嵌着し、下端の室内側面には前記光拡散板１７を嵌着して反射板ダクト１０のユニットを構成している。
【００４２】
尚、図１において、２０は工事の最後に挿着される雨仕舞い用の水切り部材、２１は陸屋根を構成するスラブ、２２は陸屋根にトップライトを設置するために開けた開口部、２３は開口部縁部廻りに設けたトップライト設置用の基台で、図１の例ではＣ型鋼材を組み合わせて立上り基台２３の立ち上がり部を構成している。従って、立上り基台２３の側部は防水ボード２４を張りつけ、屋根上部と同様に防水シート２５の加工を行えば、前記基台２２の立上り部は屋根同様の防水シート加工となる。
【００４３】
而して、主に図１にて説明した太陽光追尾システム３、アール形状縁部枠１１、そしてアール形状のハカマ枠１２、並びに反射板ダクト１０の構成を図１のＡ−Ａ要部拡大図である図２に基づいて説明する。図２において、２は樹脂製ドーム、８は太陽光追尾システムの保持枠、１１はアール形状縁部枠、１２はアール形状のハカマ枠、２０は前記アール形状のハカマ枠１２と立上り基台２３の天端間に挿着されてトップライトの雨仕舞いを完全とする水切り部材、１４は前記ハカマ枠１２に内蔵された網入りガラス１３のアール形状ガラス保持枠、１６ａは下地装着金物で、該下地装着金物１６ａにて拡散板保持枠１８ａを保持して反射板ダクト１０全体を懸架している。
【００４４】
図２に示す前記アール形状縁部枠１１は樹脂製ドーム２の下端部にビス２６にてパッキン２７を介して嵌着されており、該アール形状縁部枠１１は、アングル２８を介してハカマ枠１２と連繋されていて、該アングル２８の上端は太陽光追尾システムの保持枠８をボルト・ナット２９にて支承している。
【００４５】
また、ハカマ枠１２には、網入りガラス１３のアール形状保持枠１４と下部に反射板ダクト１０を懸架するための反射ダクト枠１５ａ、１５ｂ、１５ｃ、１５ｄ（一部のみ図示）が少なくとも４本の下地装着金物１６ａ、１６ｂ、１６ｃ、１６ｄを介して装架されており、該４本の下地装着金物１６ａ、１６ｂ、１６ｃ１６ｄは前記ハカマ枠１２の下部にスチール製の下地骨材３０を嵌合した補強枠材３１を介してビス３２ａ、３２ｂにて取付けたフラットバー材３３から懸架されている構造を有している。
【００４６】
更に、フラットバー材３３から懸架されている反射板ダクト枠１５ａの上部には、反射板ダクト枠１５ａに嵌合する反射板１９を補強するために廻り縁３４が設けられており、反射板１９は夫々ビス３５にて保持されている。
【００４７】
而して、太陽光追尾システム３、アール形状縁部枠１１、そしてアール形状のハカマ枠１２、該ハカマ枠１２より懸架されている反射板ダクト１０から成る採光装置本体１は、陸屋根を構成する屋根スラブより立上げた基台２３上に載置されハカマ枠１２の下方に設けられたブラケット３６と基台２３上に設けられたブラケット３７をボルト・ナット３８にて固着した後、水切り部材２０をハカマ枠１２の周囲に挿着、ビス止めしてシール３９ａ、３９ｂを施すことにより完了する。
【００４８】
尚、図２の４０はアール形状縁部材１１やハカマ枠１２の押出し形材枠内に等気圧止水機能を備えて雨水の進入を防止するための吸気・排水孔を示している。
【００４９】
斯くして、本発明の実施例１は、略半球面形状を有し太陽光の追尾システムを備えた樹脂製ドーム２と、該樹脂製ドーム２の下部縁部に設けられたアール形状の下部縁部枠１１、並びに前記アール形状の下部縁部枠１１に連繋されたアール形状のハカマ枠１２を介して反射板ダクト１０を懸架して太陽光の採光装置本体１を構成し、該太陽光の採光装置本体１を屋根部に設けた採光用の開口部２２の縁部立上り基台２３上に載置して固定した後、該立上り基台２３の天端と前記ハカマ枠間の周部に水切り部材２０を挿着して、前記立上り基台２３の天端と前記ハカマ枠１２間の雨仕舞い処理を行う構成の採光システムを備えたトップライトを提供するものである。
【００５０】
また、実施例１において、前記立上り基台２３の天端とハカマ枠１２間の周部に挿着される水切り部材２０の形状は、ハカマ枠１２を介して懸架される反射板ダクト１０が円筒形状である場合にはアール形状の水切り部材２０となし、またハカマ枠を介して懸架される反射板ダクト１０が角筒形状の場合には平面形状で四角形の水切り部材２０を挿着する太陽光の採光システムを備えたトップライトを提供するものである。尚、４１は室内の天井の位置を示している。
【００５１】
更に、実施例１において、前記ハカマ枠１２に内蔵されるアール形状ガラス保持枠１４は、耐火材となるスチール製の下地骨材３０を嵌合したアール形状ガラス保持枠１４と成し、該アール形状ガラス保持枠１４上に網入りガラス１３を装着することで懸架される反射板ダクト１０内に防火区画を形成する太陽光の採光システムを備えたトップライトを提供するものである。
【実施例２】
【００５２】
図３は、実施例２を説明する断面図で、取付手順が解るように組み立て図形式を採用している。図３において、１は採光装置本体、２は樹脂製ドーム、３は太陽光追尾システム、そして、前記樹脂製ドーム３の下部にはアール形状縁部枠１１と、該アール形状縁部枠１１に連繋したハカマ枠１２が設けてあり、ハカマ枠１２は反射ダクト１０が懸架されていて、採光装置本体１のユニットが形成されている。
【００５３】
図３において、２０は工事の最後に挿着される雨仕舞い用の水切り部材、２１は陸屋根を構成するスラブ、２２は陸屋根にトップライトを設置するために開けた開口部、２３は開口部縁部廻りに設けたトップライト設置用の基台で、図３の例ではＣ型鋼材を組み合わせて立上り基台２３の立ち上がり部を構成している。従って、立上り基台２３の側部は防水ボード２４を張りつけ、屋根上部と同様に防水シート２５の加工を行えば、前記基台２２の立上り部は屋根同様の防水シート加工となる。
【００５４】
斯くして、実施例２は、略半球面形状を有し太陽光の追尾システムを備えた樹脂製ドーム２と、該樹脂製ドーム２の下部縁部に設けられたアール形状の下部縁部枠１１、並びに前記アール形状の下部縁部枠１１に連繋されたアール形状のハカマ枠１２を介して反射板ダクト１０を懸架した太陽光の採光装置本体１のユニットを構成し、該太陽光の採光装置本体１のユニットを屋根部に設けた採光用の開口部２２の縁部立上り基台２３上に載置して固定した後、該立上り基台２３の天端と前記ハカマ枠１２間の周部に水切り部材２０を挿着して、前記立上り基台２３の天端と前記ハカマ枠１２間の雨仕舞い処理を行うことにより太陽光の採光システムを備えたトップライトの施工取付時間の短縮を実現して、屋内や反射板ダクト１０の、所謂、化粧部分を風雨に曝されることなく全体として美しい施工を行うものである。
【符号の説明】
【００５５】
１  採光装置本体
２  樹脂製ドーム
３  太陽光追尾システム
４  反射ミラー
５  反射ミラー支持アーム
６  反射ミラー竪軸回転モーター
７  反射ミラー横軸回転モーター
８  保持枠
９  太陽光
１０  反射板ダクト
１１  アール形状縁部枠
１２  ハカマ枠
１３  網入りガラス
１４  アール形状ガラス保持枠
１５ａ、１５ｂ、１５ｃ、１５ｄ  反射ダクト枠
１６ａ、１６ｂ、１６ｃ、１６ｄ  下地装着金物
１７  光拡散板
１８ａ、１８ｂ、１８ｃ、１８ｄ  拡散板保持枠
１９  反射板
２０  水切り部材
２１  陸屋根を構成するスラブ
２２  開口部
２３  基台
２４  防水ボード
２５  防水シート
２６  ビス
２７  パッキン
２８  アングル
２９  ボルト・ナット
３０  スチール製の下地骨材
３１  補強材
３２ａ、３２ｂ  ビス
３３  フラットバー材
３４  廻り縁
３５  ビス
３６  ブラケット
３７  ブラケット
３８  ボルト・ナット
３９ａ、３９ｂ  シール
４０  吸気・排水孔
４１  天井
【図１】
0005564029.tif 000002
【図２】
0005564029.tif 000003
【図３】
0005564029.tif 000004